【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
多数個のほぼ軸方向に延びるフィルタセルを備えたディーゼルパティキュレートフィルタの空気圧清浄化装置であって、
前記ディーゼルパティキュレートフィルタの第１の端面のところに位置決め可能であり、圧縮空気の流れを前記第１の端面から前記軸方向に延びるフィルタセル中に差し向ける第１のノズル部材と、
前記ディーゼルパティキュレートフィルタの反対側の第２の端面のところに位置決め可能であり、圧縮空気の流れを前記第２の端面から前記軸方向に延びるフィルタセル中に差し向ける第２のノズル部材と、
前記第１及び前記第２のノズル部材を前記第１及び前記第２の端面の実質的に全面上でこれに沿って動かし、圧縮空気が互いに逆方向から前記フィルタセルの実質的に全ての中に差し向けられて粒子状物質を前記フィルタセルから効果的に脱落させて除去するようにする手段と、を有する、装置。
【請求項２】
前記第１及び前記第２のノズル部材を前記ディーゼルパティキュレートフィルタの前記端面上でこれに沿って動かす前記手段は、前記ディーゼルパティキュレートフィルタの前記端面を横切って前記ノズル部材を並進させる手段を含む、請求項１記載の装置。
【請求項３】
前記ディーゼルパティキュレートフィルタの前記端面を横切って前記ノズル部材を並進させる前記手段は、
前記ノズル部材を支持した第１及び第２のアームと、
前記アームを伸縮させる手段と、を含む、請求項２記載の装置。
【請求項４】
前記アームを伸縮させる前記手段は、前記アームが取り付けられた第１及び第２の空気圧シリンダを含む、請求項３記載の装置。
【請求項５】
前記第１及び前記第２のノズル部材を前記ディーゼルパティキュレートフィルタの前記端面上をこれに沿って動かす前記手段は、前記第１及び前記第２のノズル部材が前記ディーゼルパティキュレートフィルタの前記第１及び前記第２の端面のところで圧縮空気の前記流れを前記軸方向に延びるフィルタセル中に差し向けているときに、前記ディーゼルパティキュレートフィルタを回転させる手段を含む、請求項１記載の装置。
【請求項６】
前記ディーゼルパティキュレートフィルタを回転させる前記手段は、前記ディーゼルパティキュレートフィルタを支持してこれを回転させるターンテーブルを含み、前記ターンテーブルは、実質的に垂直の向きを有すると共に中央開口部を有し、前記ノズル部材のうちの一方は、前記中央開口部を通って前記ディーゼルパティキュレートフィルタの端面にアクセスする、請求項５記載の装置。
【請求項７】
前記フィルタを回転させているときに前記ディーゼルパティキュレートフィルタの前記端面を横切って前記第１及び前記第２のノズル部材を並進させる手段を更に有する、請求項５記載の装置。
【請求項８】
前記ディーゼルパティキュレートフィルタの前記端面を横切って前記第１及び前記第２のノズル部材を並進させる前記手段は、
前記ノズル部材を支持した第１及び第２のアームと、
前記ディーゼルパティキュレートフィルタを回転させているときに前記アームを周期的に伸縮させる手段と、を含む、請求項７記載の装置。
【請求項９】
前記アームを周期的に伸縮させる前記手段は、前記アームが取り付けられた第１及び第２の空気圧シリンダを含む、請求項８記載の装置。
【請求項１０】
前記ノズル部材が取り付けられた前記アームを伸縮させる前記手段は、前記アームの行程長さを調節可能に調整して前記ディーゼルパティキュレートフィルタの所定の直径に一致させる手段を更に含む、請求項８記載の装置。
【請求項１１】
前記アームの前記行程長さを調節可能に調整する前記手段は、調節可能なリミットスイッチを含む、請求項１０記載の装置。
【請求項１２】
前記ノズル部材は、前記フィルタセル中への加圧空気の前記流れを実質的に軸方向に差し向ける少なくとも１つの小径ノズルを含む、請求項１記載の装置。
【請求項１３】
前記ターンテーブルは、互いに異なる直径を備えた互いに異なるディーゼルパティキュレートフィルタを支持して前記互いに異なるフィルタの端面を前記ターンテーブルの前記中央開口部のところで露出させるようにする手段を有する、請求項６記載の装置。
【請求項１４】
互いに異なる直径を備えた互いに異なるディーゼルパティキュレートフィルタを支持する前記手段は、前記ターンテーブルの下に交換可能に取り付け可能な複数個のプレート部材を含み、前記プレート部材の各々は、前記ディーゼルパティキュレートフィルタの前記互いに異なる直径の一つにそれぞれ合わせられた中央開口部を有する、請求項１３記載の装置。
【請求項１５】
前記複数個のプレート部材は、前記ターンテーブルに同心状に取り付け可能である、請求項１４記載の装置。
【請求項１６】
多数個のほぼ軸方向に延びるフィルタセルを有するディーゼルパティキュレートフィルタを清浄化する方法であって、
第１ノズル部材を前記ディーゼルパティキュレートフィルタの第１の端面のところに位置決めして圧縮空気の流れを前記第１の端面から、前記軸方向に延びるフィルタセル中に差し向けるステップと、
第２のノズル部材を前記ディーゼルパティキュレートフィルタの反対側の第２の端面のところに位置決めして圧縮空気の流れを前記第２の端面から、前記軸方向に延びるフィルタセル中に差し向けるステップと、
前記第１及び前記第２のノズル部材を前記ディーゼルパティキュレートフィルタの前記第１の端面及び前記第２の端面の実質的に全面上でこれに沿って動かして、圧縮空気を互いに逆方向から前記軸方向に延びるフィルタセルの実質的に全ての中に差し向け、粒子状物質を前記フィルタセルから脱落させて除去するようにするステップと、を有する、方法。
【請求項１７】
前記ディーゼルパティキュレートフィルタから脱落して除去された粒子状物質の流れを視覚的に観察して、前記ディーゼルパティキュレートフィルタの清浄化が実質的に完了した時期を決定するステップを更に有する、請求項１６記載の方法。
【請求項１８】
前記ディーゼルパティキュレートフィルタから脱落して除去された粒子状物質の前記流れを視覚的に観察する前記ステップは、前記ディーゼルパティキュレートフィルタを収納したチャンバの窓を介して前記ディーゼルパティキュレートフィルタの前記第１及び前記第２の端面を視認するステップを含む、請求項１７記載の方法。
【請求項１９】
前記ディーゼルパティキュレートフィルタの前記第１及び前記第２の端面を視覚的に観察して、前記ディーゼルパティキュレートフィルタの前記第１の端面と前記第２の端面の両方からの粒子状物質の目に見える強力な排出によって分かる、前記ディーゼルパティキュレートフィルタの前記フィルタセルの損傷を確認するステップを更に有する、請求項１８記載の方法。
【請求項２０】
前記第１及び前記第２のノズル部材を前記ディーゼルパティキュレートフィルタの前記第１及び前記第２の端面上でこれに沿って動かす前記ステップは、前記ディーゼルパティキュレートフィルタを回転させると同時に前記第１及び前記第２のノズル部材を前記ディーゼルパティキュレートフィルタの前記端面上でこれに沿って並進させるステップを含む、請求項１６記載の方法。
【請求項２１】
前記第１のノズル部材及び前記第２のノズル部材を前記ディーゼルパティキュレートフィルタの前記第１の端面及び前記第２の端面のところにそれぞれ位置決めして、圧縮空気の流れを前記第１の端面及び前記第２の端面からそれぞれ、前記軸方向に延びるフィルタセル中に差し向ける前記ステップは各々、前記ノズル部材の小径オリフィスを前記ディーゼルパティキュレートフィルタの端面の近くに位置決めして、圧縮空気の前記流れを前記オリフィスから前記ディーゼルパティキュレートフィルタの前記端面の僅かな部分にしか当てないようにするステップを含む、請求項１６記載の方法。
【請求項２２】
多数個の全体として軸方向に延びるフィルタセルを有するディーゼルパティキュレートフィルタの損傷の有無を識別する方法であって、
第１のノズル部材からの圧縮空気の流れを前記ディーゼルパティキュレートフィルタの第１の端面から、前記軸方向に延びるフィルタセル中に差し向けるステップと、
それと同時に、第２のノズル部材からの圧縮空気の流れを前記ディーゼルパティキュレートフィルタの反対側の第２の端面から、前記軸方向に延びるフィルタセル中に差し向けるステップと、
前記第１及び前記第２のノズル部材を前記第１の端面及び前記第２の端面の実質的に全面上でこれに沿って動かして、前記圧縮空気の流れが互いに逆方向から前記軸方向に延びるフィルタセルの実質的に全ての中に差し向けられて粒子状物質を前記フィルタセルから脱落させて除去するようにするステップと、
前記ディーゼルパティキュレートフィルタから脱落して除去された前記粒子状物質の流れを視覚的に観察して、前記ディーゼルパティキュレートフィルタの前記第１の端面と前記第２の端面の両方からの粒子状物質の目に見える強力な同時排出によって分かる、前記ディーゼルパティキュレートフィルタの前記フィルタセルの損傷を確認するステップとを有する、方法。
【請求項２３】
前記ディーゼルパティキュレートフィルタを視覚的に観察する前記ステップは、前記ディーゼルパティキュレートフィルタを前記ノズル部材が収納されているチャンバ内に配置するステップと、前記チャンバに形成されている少なくとも１つの窓を介して前記脱落した粒子状物質の流れを観察するステップとを含む、請求項２２記載の方法。